(57)【要約】    【課題】携帯端末から発信されるＩＤを利用して呼出要求や電気錠の解錠要求が有効であるか否かを適切に判断する。    【解決手段】携帯端末１から発信されるＩＤと居室親機５に予め登録されているＩＤとを照合し、新規のＩＤでなく呼出拒否の設定が行われたＩＤとも一致しない場合には、所定の呼出報知を居室親機にて行う。また、呼出拒否の設定が行われたＩＤと一致した場合には、玄関子機２の撮像部２１を駆動させ、撮像部にて撮像された映像を居室親機の記憶部に記憶するとともに、所定の警報報知を玄関子機にて行う。さらに、携帯端末から発信されたＩＤが新規の場合には、玄関子機の撮像部を駆動させ、撮像部にて撮像された映像を居室親機の記憶部に記憶する。  また、携帯端末から発信されるＩＤと電気錠コントローラ６に予め登録されているＩＤとを照合し、当該ＩＤが一致した場合には、玄関ドア３の電気錠３０を解錠させるとともに、所定の確認報知を居室親機にて行う。  【選択図】図１
2006033558.tif 000002
【特許請求の範囲】
【請求項１】
ＩＤを発信する携帯端末（１）と、前記携帯端末から発信されたＩＤを受信するための受信部（２０）を有する玄関子機（２）と、前記玄関子機の受信部にて受信されたＩＤと予め登録されているＩＤとを照合し、一致したときに前記携帯端末からの呼び出しを呼出音や音声メッセージの出力および／または文字や絵データの表示で報知するための居室親機（５）とを備えたことを特徴とするインターホンシステム。
【請求項２】
ＩＤを発信する携帯端末（１）と、前記携帯端末から発信されたＩＤを受信するための受信部（２０、４０）を有する受信装置（２、４）と、前記受信装置の受信部にて受信されたＩＤと予め登録されているＩＤとを照合し、一致したときには玄関ドア（３）の電気錠（３０）を解錠するための電気錠コントローラ（６）とを備えたことを特徴とするインターホンシステム。
【請求項３】
前記電気錠コントローラの制御によって前記電気錠が解錠されたことを確認音や音声メッセージの出力および／または文字や絵データの表示で報知する居室親機（５）を備えたことを特徴とする請求項２記載のインターホンシステム。
【請求項４】
前記居室親機は、前記一致したＩＤが呼出拒否の設定が行われていたＩＤの場合、前記呼出音や音声メッセージの出力および／または文字や絵データの表示による報知をせずに予め記憶されている警報音や音声メッセージを前記玄関子機から出力させるための制御回路（５５）を備えたことを特徴とする請求項１記載のインターホンシステム。
【請求項５】
前記玄関子機は撮像部（２１）を有し、前記居室親機は前記玄関子機の撮像部にて撮像された映像を録画するための記憶部（６０）を有し、
前記居室親機は、前記受信部にて受信された前記携帯端末からのＩＤが新規の場合、または前記呼出拒否の設定が行われていたＩＤであった場合、前記玄関子機の撮像部を駆動し、前記撮像部にて撮像された映像を前記記憶部に録画するための制御回路（５５）を備えたことを特徴とする請求項１記載のインターホンシステム。
【請求項６】
前記携帯端末は、ブルートゥース等の微弱な無線電波を利用して前記ＩＤを発信することを特徴とする請求項１乃至請求項５のうち何れか１項記載のインターホンシステム。
【請求項７】
前記携帯端末は、赤外線を利用して前記ＩＤを発信することを特徴とする請求項１乃至請求項５のうち何れか１項記載のインターホンシステム。
【請求項８】
前記ＩＤは、前記携帯端末から基地局へ定期的に発信される位置確認データであることを特徴とする請求項１乃至請求項５のうち何れか１項記載のインターホンシステム。
【請求項９】
前記ＩＤは、前記携帯端末からＲＦＩＤを用いて発信されるデータであることを特徴とする請求項１乃至請求項５のうち何れか１項記載のインターホンシステム。
【発明の詳細な説明】
【技術分野】
【０００１】
本発明はインターホンシステムに係り、特に、携帯端末から発信されるＩＤを利用して呼出要求や電気錠の解錠要求が有効であるか否かを適切に判断することができるインターホンシステムに関する。
【背景技術】
【０００２】
従来から、この種のインターホンシステムとして、拒否すべき来訪者を指紋データにより適切に判断し、この来訪者が招じ入れ不可の場合、例えば、押し売り、不審人物、危険人物等の場合には、住戸内に在室中の居住者が応答することなく、いち早く退散させるように所定の警報出力を行い、再度の訪問を抑止することができる指紋照合機能を有したインターホン及びそのシステムが開示されている（例えば、特許文献１を参照）。
【０００３】
【特許文献１】特開２００３−１０１６４８号公報（段落番号００２０〜００５０、図１〜図４）
【発明の開示】
【発明が解決しようとする課題】
【０００４】
しかしながら、従来例の指紋照合機能を有したインターホン及びそのシステムでは、拒否すべき来訪者を適切に判断するにあたって指紋の照合が必須であったため、指紋データを照合する機器に多くのコストが必要となるばかりでなく、指紋によっては読み取りミスが発生して誤動作する虞があった。
【０００５】
本発明は、前述の難点を解消するためになされたもので、携帯端末から発信されるＩＤを利用して呼出要求や電気錠の解錠要求が有効であるか否かを適切に判断し、有効でないと判断された場合には警報報知して防犯性を高めたインターホンシステムを提供することを目的としている。
【課題を解決するための手段】
【０００６】
前述の目的を達成するため、本発明のインターホンシステムは、ＩＤを発信する携帯端末と、携帯端末から発信されたＩＤを受信するための受信部を有する玄関子機と、玄関子機の受信部にて受信されたＩＤと予め登録されているＩＤとを照合し、一致したときに携帯端末からの呼び出しを呼出音や音声メッセージの出力および／または文字や絵データの表示で報知するための居室親機とを備えている。
【０００７】
また、本発明のインターホンシステムは、ＩＤを発信する携帯端末と、携帯端末から発信されたＩＤを受信するための受信部を有する受信装置と、受信装置の受信部にて受信されたＩＤと予め登録されているＩＤとを照合し、一致したときには玄関ドアの電気錠を解錠するための電気錠コントローラとを備えている。
【０００８】
また、本発明のインターホンシステムは、電気錠コントローラの制御によって電気錠が解錠されたことを確認音や音声メッセージの出力および／または文字や絵データの表示で報知する居室親機を備えている。
【０００９】
また、本発明のインターホンシステムにおいて、居室親機は、一致したＩＤが呼出拒否の設定が行われていたＩＤの場合、呼出音や音声メッセージの出力および／または文字や絵データの表示による報知をせずに予め記憶されている警報音や音声メッセージを玄関子機から出力させるための制御回路を備えている。
【００１０】
また、本発明のインターホンシステムにおいて、玄関子機は撮像部を有し、居室親機は玄関子機の撮像部にて撮像された映像を録画するための記憶部を有し、居室親機は、受信部にて受信された携帯端末からのＩＤが新規の場合、または呼出拒否の設定が行われていたＩＤであった場合、玄関子機の撮像部を駆動し、撮像部にて撮像された映像を記憶部に録画するための制御回路を備えている。
【００１１】
また、本発明のインターホンシステムにおいて、携帯端末は、ブルートゥース等の微弱な無線電波を利用してＩＤを発信するものである。
【００１２】
また、本発明のインターホンシステムにおいて、携帯端末は、赤外線を利用してＩＤを発信するものである。
【００１３】
また、本発明のインターホンシステムにおいて、ＩＤは、携帯端末から基地局へ定期的に発信される位置確認データである。
【００１４】
また、本発明のインターホンシステムにおいて、ＩＤは、携帯端末からＲＦＩＤを用いて発信されるデータである。
【発明の効果】
【００１５】
本発明のインターホンシステムによれば、携帯端末から発信されるＩＤと居室親機に予め登録されているＩＤとを照合し、携帯端末を携行している人物からの呼出要求が有効であるか否かを適切に判断し、新規のＩＤでなく呼出拒否の設定が行われたＩＤとも一致しない場合、例えば、外出先から帰宅しようとしてい居住者、または住戸内に在室中の居住者にとって好ましい予め知り得えていた来訪者からの呼出要求の場合には、所定の呼出報知を居室親機にて行うことができる。また、呼出拒否の設定が行われたＩＤと一致した場合、例えば、携帯端末を携行している人物が住戸内に在室中の居住者にとって好ましくない予め知り得ていた押し売り、不審人物、危険人物等の呼出拒否の設定が行われていた人物の場合には、これら人物の映像を玄関子機の撮像部にて撮像して居室親機の記憶部に記憶するとともに、いち早く退散させるように所定の警報報知を玄関子機にて行い再度の訪問を抑止することにより、防犯性が高められる。さらに、携帯端末から発信されたＩＤが新規の場合、例えば、携帯端末を携行している人物が住戸内に在室中の居住者にとって新規訪問の来訪者の場合には、この新規訪問の来訪者の映像を玄関子機の撮像部にて撮像して居室親機の記憶部に記憶することができる。
【００１６】
また、本発明のインターホンシステムによれば、携帯端末から発信されるＩＤと電気錠コントローラに予め登録されているＩＤとを照合し、携帯端末を携行している人物からの解錠要求が有効であるか否かを適切に判断し、当該ＩＤが一致した場合、例えば、外出先から帰宅しようとしてい居住者による解錠要求である場合には、玄関ドアの電気錠を解錠させるとともに、所定の確認報知を居室親機にて行うことができる。
【００１７】
さらに、本発明のインターホンシステムによれば、携帯端末から発信されるＩＤとして、ブルートゥース等の微弱な無線電波や赤外線を利用することができ、このＩＤは、当該携帯端末から基地局へと発信される位置確認データやＲＦＩＤを用いて発信されるデータを利用することができる。
【発明を実施するための最良の形態】
【００１８】
以下、本発明のインターホンシステムを適用した最良の実施の実施例について、図面を参照して説明する。
【００１９】
図１は、本発明の実施例によるインターホンシステムの全体構成を示すシステム説明図である。
【００２０】
図１のシステム構成図に示すインターホンシステムは、外出先から帰宅しようとしている居住者や来訪者により携行され、ＩＤを発信するための携帯電話、ＰＨＳ（Personal Handyphone System）、ＰＤＡ（Personal Digital Assistant）等の携帯端末１と、住戸外側の玄関に設置される玄関子機２と、玄関において住戸外および住戸内の間を居住者や来訪者が出入りするために開閉される玄関ドア３と、住戸外側の玄関に設置され、玄関ドア３の電気錠３０を外部から解錠させるために所定の解錠操作（詳述せず）が行われる暗証解錠装置４と、住戸内の所定の位置、例えば共用部に設置され、電気錠ラインＬ2を介して接続された玄関ドア３の電気錠３０、解錠装置ラインＬ3を介して接続された暗証解錠装置４をそれぞれ制御するための電気錠コントローラ６と、住戸内に設置され、子機ラインＬ1を介して接続された玄関子機２、親機ラインＬ4を介して接続された電気錠コントローラ６をそれぞれ制御するための居室親機５とから構成されている。
【００２１】
図１のシステム説明図において、玄関子機２は、携帯端末１から発信されたＩＤを受信するための受信部２０と、携帯端末１を携行している人物の映像（住戸玄関の周囲環境の映像を含む）を撮像するためのＣＣＤ（Charge Coupled Devices）、ＣＭＯＳ（Complementary Metal Oxide Semiconductor）等の撮像部２１と、携帯端末１を携行している人物が住戸内に在室中の居住者との間で通話を成立させるための音声（送話音声、受話音声）を入出力するマイク２２およびスピーカ２３とを有している。
【００２２】
玄関ドア３は、当該玄関ドアを施解錠するための電気錠３０を有している。
【００２３】
暗証解錠装置４は、当該暗証解錠装置を携帯端末１から発信されたＩＤを受信する受信装置として適用するにあたり、携帯端末１から発信されたＩＤを受信するための受信部４０と、玄関ドア３の電気錠３０を解錠させるための暗証番号を知り得る人物、例えば、外出先から帰宅しようとしている居住者が所定の入力操作（詳述せず）を行う５キー、１０キー等のキー入力部４１と、玄関ドア３の電気錠３０が解錠された旨の確認音や音声メッセージ、携帯端末１を携行している人物が住戸内に在室中の居住者にとって好ましくない人物、例えば、押し売り、不審人物、危険人物等の場合に警報報知するための警報音や音声メッセージを出力するスピーカ４２とを有している。
【００２４】
居室親機５は、玄関子機２の受信部２０にて受信されたＩＤが呼出要求のためのＩＤとして有効である、すなわち、受信部２０にて受信されたＩＤが呼出拒否の設定が行われたＩＤと一致しなかった場合には当該呼出要求（呼び出し）がある旨の呼出音や音声メッセージを出力するとともに、玄関ドア３の電気錠３０が解錠された旨の確認音や音声メッセージを出力し、さらに、応答操作を行った住戸内に在室中の居住者が携帯端末１を携行している人物との間で通話を成立させるための音声（受話音声）を出力するスピーカ５０と、前述のスピーカ５０とともに応答操作を行った居住者が通話を成立させるための音声（送話音声）を入力するマイク５１と、住戸内に在室中の居住者が携帯端末１を携行している人物からの呼び出し（呼出要求）に応答して通話に入るために操作する通話ボタン５２と、住戸内に在室中の居住者が玄関ドア３の電気錠３０を解錠させるために操作する電気錠解錠ボタン５３と、玄関子機２の受信部２０にて受信されたＩＤが呼出拒否の設定が行われたＩＤと一致しなかった場合には当該呼出要求（呼び出し）がある旨の文字や絵データを出力するとともに、玄関ドア３の電気錠３０が解錠された旨の絵や文字データを出力し、さらに、玄関子機２の撮像部２１にて撮像された映像を表示するためのＬＣＤ（Liquid Crystal Display）、有機ＥＬ（ElectroLuminescence）等の表示部５４とを有している。
【００２５】
電気錠コントローラ６は、住戸内に在室中の居住者が玄関ドア３の電気錠３０を解錠させるために操作する電気錠解錠ボタン７０と、玄関ドア３の電気錠３０が解錠された旨の確認音や音声メッセージを出力するスピーカ７１とを有している。
【００２６】
図２は、本発明の実施例によるインターホンシステムにおいて、玄関子機２の具体的な構成を示すブロック図である。
【００２７】
図２のブロック図において、玄関子機２には、前述の受信部２０、撮像部２１、マイク２２、スピーカ２３と、当該玄関子機の構成各部をそれぞれ制御するための制御回路（以下、子機ＣＰＵという。）２４と、受信部２０にて受信されるＩＤの受信感度を調整するためのアッテネータ等の受信感度調整回路２５と、子機ＣＰＵ２４および子機ラインＬ1の間の信号／データ伝送路を形成するためのインターフェース（以下、子機Ｉ／Ｆという。）２６とが備えられている。
【００２８】
図３は、本発明の実施例によるインターホンシステムにおいて、暗証解錠装置４の具体的な構成を示すブロック図である。
【００２９】
図３のブロック図に示す暗証解錠装置４には、前述の受信部４０、キー入力部４１、スピーカ４２と、当該暗証解錠装置の構成各部をそれぞれ制御するための制御回路（以下、解錠装置ＣＰＵという。）４３と、受信部４０にて受信されるＩＤの受信感度を調整するためのアッテネータ等の受信感度調整回路４４と、解錠装置ＣＰＵ４３および解錠装置ラインＬ3の間の信号／データ伝送路を形成するためのインターフェース（以下、解錠装置Ｉ／Ｆという。）４５とが備えられている。
【００３０】
図４は、本発明の実施例によるインターホンシステムにおいて、居室親機５の具体的な構成を示すブロック図である。
【００３１】
図４のブロック図において、居室親機５には、前述のスピーカ５０、マイク５１、通話ボタン５２、電気錠解錠ボタン５３、表示部５４と、当該居室親機の構成各部をそれぞれ制御するための制御回路（以下、親機ＣＰＵという。）５５と、親機ＣＰＵ５５によって制御され表示部５４を制御（駆動制御）するためのドライバ回路５６と、玄関子機２の受信部２０にて受信されたＩＤが呼出要求のためのＩＤとして有効であるか否かを判断するために予め定められたＩＤが登録されるＲＯＭ、ＲＡＭ等の記憶部（以下、ＩＤメモリという。）５７と、スピーカ５０にて出力させるための前述の呼出音や音声メッセージおよび確認音や音声メッセージ、玄関子機２のスピーカ２３および／または電気錠コントローラ６のスピーカ７１にて出力させるための警報音や音声メッセージ等が予め記憶されるＲＯＭ、ＲＡＭ等の記憶部（以下、音声メモリという。）５８と、表示部５４に表示させるための前述の各種文字や絵データが予め記憶されるＲＯＭ、ＲＡＭ等の記憶部（以下、画面表示メモリという。）５９と、玄関子機２の撮像部２１にて撮像された映像を録画するためのＲＯＭ、ＲＡＭ等の記憶部（以下、録画メモリという。）６０と、親機ＣＰＵ５５および子機ラインＬ1の間の信号／データ伝送路を形成するためのインターフェース（以下、子機側親機Ｉ／Ｆという。）６１と、親機ＣＰＵ５５および親機ラインＬ4の間の信号／データ伝送路を形成するためのインターフェース（以下、コントローラ側親機Ｉ／Ｆという。）６２とが備えられている。
【００３２】
図５は、本発明の実施例によるインターホンシステムにおいて、電気錠コントーラ６の具体的な構成を示すブロック図である。
【００３３】
図５のブロック図において、電気錠コントローラ６には、前述の電気錠解錠ボタン７０、スピーカ７１と、当該電気錠コントローラの構成各部をそれぞれ制御するための制御回路（以下、コントローラＣＰＵという。）７２と、暗証解錠装置４の受信部４０にて受信されたＩＤが解錠要求のためのＩＤとして有効であるか否かを判断するために予め定められたＩＤが登録されるＲＯＭ、ＲＡＭ等の記憶部（以下、ＩＤメモリという。）７３と、コントローラＣＰＵ７２および電気錠ラインＬ2の間の信号／データ伝送路を形成するためのインターフェース（以下、電気錠側コントローラＩ／Ｆという。）７４と、コントローラＣＰＵ７２および解錠装置ラインＬ3の間の信号／データ伝送路を形成するためのインターフェース（以下、解錠装置側コントローラＩ／Ｆという。）７５と、コントローラＣＰＵ７２および親機ラインＬ4の間の信号／データ伝送路を形成するためのインターフェース（以下、親機側コントローラＩ／Ｆという。）７６とが備えられている。
【００３４】
このように構成された本発明の実施例によるインターホンシステムにおいて、以下、具体的な動作について説明する。
【００３５】
本発明の実施例による第１の動作として、図１のシステム説明図に示す携帯端末１を携行している人物が外出先から帰宅しようとしている居住者、または住戸内に在室中の居住者にとって好ましい予め知り得えていた来訪者であった場合、これらの人物が所定の呼出操作を行った、或いは予め呼出設定が行われていた携帯端末１を玄関子機２に近づけると、携帯端末１から発信されたＩＤ、ここでは、ブルートゥース等の微弱な無線電波を利用して発信されたＩＤが玄関子機２の受信部２０にて受信される。
【００３６】
図２のブロック図に示す玄関子機２において、子機ＣＰＵ２４は、受信部２０にて受信されたＩＤをもとに携帯端末１から呼出要求があることを検出し、受信されたＩＤを電気信号に信号処理してＩＤ信号を生成する。このＩＤ信号は、子機ＣＰＵ２４から子機Ｉ／Ｆ２６、子機ラインＬ1、図４のブロック図に示す居室親機５の子機側親機Ｉ／Ｆ６１を介して親機ＣＰＵ５５へと伝送される。
【００３７】
図４のブロック図に示す居室親機５において、親機ＣＰＵ５５は、玄関子機２からのＩＤ信号に付加されているＩＤとＩＤメモリ５７に予め登録されているＩＤとを照合する。ここでは、前述のＩＤ信号に付加されているＩＤが新規のＩＤでなく予め登録されており、呼出拒否の設定が行われていたＩＤとも一致せず、これらを検出した親機ＣＰＵ５５は、音声メモリ５８から読み出した呼出報知のための呼出音や音声メッセージをスピーカ５０から出力させる、および／またはドライバ回路５６を制御して画面表示メモリ５９から読み出した呼出報知のための文字や絵データを表示部５４に表示させる。
【００３８】
また、前述の呼出報知を確認した住戸内に在室中の居住者が図１のシステム説明図および図４のブロック図に示す居室親機５の通話ボタン５２を操作すると、この応答操作を検出した親機ＣＰＵ５５の制御によって、住戸内に在室中の居住者が使用するスピーカ５０およびマイク５１と親機ＣＰＵ５５、子機側親機Ｉ／Ｆ６１、子機ラインＬ1、図２のブロック図に示す玄関子機２の子機Ｉ／Ｆ２６、子機ＣＰＵ２４を介して携帯端末１を携行している人物、ここでは、外出先から帰宅しようとしている居住者、または住戸内に在室中の居住者にとって好ましい予め知り得ていた来訪者が使用するマイク２２およびスピーカ２３との間の通話路が形成され、形成された通話路を介して音声信号を送受信させることにより通話が成立する。
【００３９】
さらに、前述の呼出報知を確認した後、または通話の成立中において、住戸内に在室中の居住者が図１のシステム説明図および図４のブロック図に示す居室親機５の電気錠解錠ボタン５３を操作すると、この応答操作を検出した親機ＣＰＵ５５にて電気錠解錠起動信号が生成される。この電気錠解錠起動信号は、親機ＣＰＵ５５からコントローラ側親機Ｉ／Ｆ６２、親機ラインＬ4、図５のブロック図に示す電気錠コントローラ６の親機側コントローラＩ／Ｆ７６を介してコントローラＣＰＵ７２へと伝送される。
【００４０】
図５のブロック図に示す電気錠コントローラ６において、コントローラＣＰＵ７２は、居室親機５からの電気錠解錠起動信号をもとに住戸内に在室中の居住者による解錠操作が行われたことを検出し、図１のシステム説明図に示す玄関ドア３の電気錠３０を解錠させるための電気錠解錠信号を生成する。この電気錠解錠信号は、コントローラＣＰＵ７２から電気錠側コントローラＩ／Ｆ７４、電気錠ラインＬ2を介して玄関ドア３の電気錠３０へと伝送され、電気錠３０を一定時間内解錠させることにより、携帯端末１を携行している人物、ここでは、外出先から帰宅しようとしている居住者、または住戸内に在室中の居住者にとって好ましい予め知り得ていた来訪者は、電気錠３０が解錠された玄関ドア３を開成させて住戸内に入ることができる。
【００４１】
また、図５のブロック図に示す電気錠コントローラ６において、コントローラＣＰＵ７２は、玄関ドア３の電気錠３０が解錠されたことを居室親機５にて報知させるための解錠通知信号を生成する。この解錠通知信号は、前述の電気錠解錠起動信号と逆の経路を介して図４のブロック図に示す居室親機５の親機ＣＰＵ５５へと伝送される。
【００４２】
図４のブロック図に示す居室親機５において、親機ＣＰＵ５５は、電気錠コントローラ６からの解錠通知信号をもとに玄関ドア３の電気錠３０が解錠されたことを検出し、音声メモリ５８から読み出した解錠通知のための確認音や音声メッセージをスピーカ５０から出力させる、および／またはドライバ回路５６を制御して画面表示メモリ５９から読み出した解錠通知のための文字や絵データを表示部５４に表示させ、住戸内に在室中の居住者に対して玄関ドア３の電気錠３０が解錠された旨の報知を行う。
【００４３】
なお、図４のブロック図に示す居室親機５のスピーカ５０から出力された解錠通知のための確認音や音声メッセージ、すなわち、音声メモリ５８から読み出された解錠通知のための確認音や音声メッセージは、親機ＣＰＵ５５、図３のブロック図に示す暗証解錠装置４の解錠装置ＣＰＵ４３および図５のブロック図に示す電気錠コントローラ６のコントローラＣＰＵ７２の制御によって、スピーカ４２、７１にてそれぞれ出力させることもできる。
【００４４】
また、本発明の実施例による第１の動作において、前述の呼出報知を確認した後、または通話の成立中において住戸内に在室中の居住者により行われる解錠操作は、図１のシステム説明図および図４のブロック図に示す居室親機５の電気錠解錠ボタン５３を操作のみならず、図１のシステム説明図および図５のブロック図に示す電気錠コントローラ６の電気錠解錠ボタン７０の操作によって行うこともできる。
【００４５】
次に、本発明の実施例による第２の動作として、図１のシステム説明図に示す携帯端末１を携行している人物が住戸内に在室中の居住者にとって好ましくない予め知り得ていた押し売り、不審人物、危険人物等であった場合、この人物が所定の呼出操作を行った、或いは予め呼出設定が行われていた携帯端末１を玄関子機２に近づけると、携帯端末１から発信されたＩＤ、ここでは、前述の第１の動作と同様、ブルートゥース等の微弱な無線電波を利用して発信されたＩＤが玄関子機２の受信部２０にて受信される。
【００４６】
図２のブロック図に示す玄関子機２において、子機ＣＰＵ２４は、受信部２０にて受信されたＩＤをもとに携帯端末１から呼出要求があることを検出し、受信されたＩＤを電気信号に信号処理してＩＤ信号を生成する。このＩＤ信号は、子機ＣＰＵ２４から子機Ｉ／Ｆ２６、子機ラインＬ1、図４のブロック図に示す居室親機５の子機側親機Ｉ／Ｆ６１を介して親機ＣＰＵ５５へと伝送される。
【００４７】
図４のブロック図に示す居室親機５において、親機ＣＰＵ５５は、玄関子機２からのＩＤ信号に付加されているＩＤとＩＤメモリ５７に予め登録されているＩＤとを照合する。ここでは、前述のＩＤ信号に付加されているＩＤが呼出拒否の設定が行われていたＩＤと一致し、これを検出した親機ＣＰＵ５５は、音声メモリ５８から読み出した呼出報知のための呼出音や音声メッセージをスピーカ５０にて出力させる、および／またはドライバ回路５６への制御による画面表示メモリ５９から読み出した呼出報知のための文字や絵データの表示部５４への表示を行わずに、音声メモリ５８から読み出した警報報知のための警報音や音声メッセージと図１のシステム説明図および図２のブロック図に示す玄関子機２の撮像部２１を駆動させるための制御データとを付加した子機制御信号を生成する。この子機制御信号は、前述のＩＤ信号と逆の経路を介して玄関子機２の子機ＣＰＵ２４へと伝送される。
【００４８】
図２のブロック図に示す玄関子機２において、子機ＣＰＵ２４は、居室親機５からの子機制御信号に付加されている警報音や音声メッセージをスピーカ２３から出力させ、前述の呼出拒否の設定が行われていたＩＤと一致したＩＤが発信された携帯端末１を携行している人物、ここでは、住戸内に在室中の居住者にとって好ましくない予め知り得ていた押し売り、不審人物、危険人物等をいち早く退散させように威嚇して再度の訪問を抑止するため、防犯性が高まる。また、子機ＣＰＵ２４は、子機制御信号に付加されている制御データをもとに撮像部２１を駆動させる。この撮像部２１は、住戸内に在室中の居住者にとって好ましくない予め知り得ていた押し売り、不審人物、危険人物等の映像（住戸玄関の周囲環境の映像を含む）を撮像し、撮像された映像は、適宜、信号処理された映像信号として前述のＩＤ信号と同様な経路を介して図５のブロック図に示す居室親機５の親機ＣＰＵ５５へと伝送される。
【００４９】
図５のブロック図に示す居室親機５において、親機ＣＰＵ５５は、玄関子機２からの映像信号をもとに撮像部２１にて撮像された映像、すなわち、住戸内に在室中の居住者にとって好ましくない予め知り得ていた押し売り、不審人物、危険人物等の映像（住戸玄関の周囲環境の映像を含む）を録画メモリ６０に録画する。
【００５０】
なお、図１のシステム説明図および図２のブロック図に示す玄関子機２のカメラ２１にて撮像された映像、すなわち、住戸内に在室中の居住者が予め知り得ていた押し売り、不審人物、危険人物等の映像（住戸玄関の周囲環境の映像を含む）は、図５のブロック図に示す居室親機５の録画メモリ６０に録画されるばかりでなく、ドライバ回路５６の制御によってリアルタイムの監視映像として表示部５４に表示させることもできる。また、録画メモリ６０に録画された映像は、親機ＣＰＵ５５の制御によって当該録画メモリから読み出され、ドライバ回路５６によって制御される表示部５４に表示させることができ、住戸内に在室中の居住者は、予め知り得ている押し売り、不審人物、危険人物等の再確認が容易となる。
【００５１】
次に、本発明の実施例による第３の動作として、図１のシステム説明図に示す携帯端末１を携行している人物が住戸内に在室中の居住者にとって新規訪問の来訪者であった場合、この来訪者が所定の呼出操作を行った、或いは予め呼出設定が行われていた携帯端末１を玄関子機２に近づけると、携帯端末１から発信されたＩＤ、ここでは、前述の第１、第２の各動作と同様、ブルートゥース等の微弱な無線電波を利用して発信されたＩＤが玄関子機２の受信部２０にて受信される。
【００５２】
図２のブロック図に示す玄関子機２において、子機ＣＰＵ２４は、受信部２０にて受信されたＩＤをもとに携帯端末１から呼出要求があることを検出し、受信されたＩＤを電気信号に信号処理してＩＤ信号を生成する。このＩＤ信号は、子機ＣＰＵ２４から子機Ｉ／Ｆ２６、子機ラインＬ1、図４のブロック図に示す居室親機５の子機側親機Ｉ／Ｆ６１を介して親機ＣＰＵ５５へと伝送される。
【００５３】
図４のブロック図に示す居室親機５において、親機ＣＰＵ５５は、玄関子機２からのＩＤ信号に付加されているＩＤとＩＤメモリ５７に予め登録されているＩＤとを照合する。ここでは、前述のＩＤ信号に付加されているＩＤが新規であり予め登録されておらず、これを検出した親機ＣＰＵ５５は、新規のＩＤとして当該ＩＤメモリに登録するとともに、音声メモリ５８から読み出した呼出報知のための呼出音や音声メッセージをスピーカ５０から出力させる、および／またはドライバ回路５６を制御して画面表示メモリ５９から読み出した呼出報知のための文字や絵データを表示部５４に表示させ、さらに、図１のシステム説明図および図２のブロック図に示す玄関子機２の撮像部２１を駆動させるための制御データを付加した子機制御信号を生成する。この子機制御信号は、前述のＩＤ信号と逆の経路を介して玄関子機２の子機ＣＰＵ２４へと伝送される。
【００５４】
図２のブロック図に示す玄関子機２において、子機ＣＰＵ２４は、居室親機５からの子機制御信号に付加されている制御データをもとに撮像部２１を駆動させる。この撮像部２１は、住戸内に在室中の居住者にとって新規訪問の来訪者の映像（住戸玄関の周囲環境の映像を含む）を撮像し、撮像された映像は、適宜、信号処理された映像信号として前述のＩＤ信号と同様な経路を介して図５のブロック図に示す居室親機５の親機ＣＰＵ５５へと伝送される。
【００５５】
図５のブロック図に示す居室親機５において、親機ＣＰＵ５５は、玄関子機２からの映像信号をもとに撮像部２１にて撮像された映像、すなわち、住戸内に在室中の居住者にとって新規訪問の来訪者の映像（住戸玄関の周囲環境の映像を含む）を録画メモリ６０に録画する。
【００５６】
なお、図１のシステム説明図および図２のブロック図に示す玄関子機２のカメラ２１にて撮像された映像、すなわち、住戸内に在室中の居住者にとって新規訪問の来訪者の映像（住戸玄関の周囲環境の映像を含む）は、図５のブロック図に示す居室親機５の録画メモリ６０に録画されるばかりでなく、ドライバ回路５６に制御によってリアルタイムの監視映像として表示部５４に表示させることもできる。また、録画メモリ６０に録画された映像は、親機ＣＰＵ５５の制御によって当該録画メモリから読み出され、ドライバ回路５６によって制御される表示部５４に表示させることができ、住戸内に在室中の居住者は、新規に登録された来訪者の再確認が容易となる。
【００５７】
また、前述の呼出報知を確認した住戸内に在室中の居住者が応答して新規訪問の来訪者との間で通話を成立させる動作や玄関ドア３の玄関ドア３０を解錠させる動作は、前述の第１の動作の該当動作と同様であることから説明は省略する。
【００５８】
次に、本発明の実施例による第４の動作として、図１のシステム説明図に示す携帯端末１を携行している人物が外出先から帰宅しようとしている居住者であった場合、この居住者が所定の解錠操作を行った、或いは予め解錠設定が行われていた携帯端末１を暗証解錠装置４に近づけると、携帯端末１から発信されたＩＤ、ここでは、前述の第１〜第３の各動作と同様、ブルートゥース等の微弱な無線電波を利用して発信されたＩＤが暗証解錠装置４の受信部４０にて受信される。
【００５９】
図３のブロック図に示す暗証解錠装置４において、解錠装置ＣＰＵ４３は、受信部４０にて受信されたＩＤをもとに携帯端末１からの解錠要求があることを検出し、受信されたＩＤを電気信号に信号処理してＩＤ信号を生成する。このＩＤ信号は、解錠装置ＣＰＵ４３から解錠装置Ｉ／Ｆ４５、解錠装置ラインＬ3、図５のブロック図に示す電気錠コントローラ６の解錠装置側コントローラＩ／Ｆ７５を介してコントローラＣＰＵ７２へと伝送される。
【００６０】
図５のブロック図に示す電気錠コントローラ６において、コントローラＣＰＵ７２は、暗証解錠装置４からのＩＤ信号に付加されているＩＤとＩＤメモリ７３に予め登録されているＩＤとを照合する。ここでは、当該ＩＤが一致し、これを検出したコントローラＣＰＵ５５は、図１のシステム説明図に示す玄関ドア３の電気錠３０を解錠させるための電気錠解錠信号を生成する。この電気錠解錠信号は、コントローラＣＰＵ７２から電気錠側コントローラＩ／Ｆ７４、電気錠ラインＬ2を介して玄関ドア３の電気錠３０へと伝送され、電気錠３０を一定時間内解錠させることにより、携帯端末１を携行している人物、ここでは、外出先から帰宅しようとしている居住者は、電気錠３０が解錠された玄関ドア３を開成させて住戸内に入ることができる。
【００６１】
また、図５のブロック図に示す電気錠コントローラ６において、コントローラＣＰＵ７２は、玄関ドア３の電気錠３０が解錠されたことを住戸内に在室中の居住者に通知するための解錠通知信号を生成する。この解錠通知信号は、コントローラＣＰＵ７２から親機側コントローラＩ／Ｆ７６、親機ラインＬ4、図４のブロック図に示す居室親機５のコントローラ側親機Ｉ／Ｆ６２を介して親機ＣＰＵ５５へと伝送される。
【００６２】
図４のブロック図に示す居室親機５において、親機ＣＰＵ５５は、電気錠コントローラ６からの解錠通知信号をもとに玄関ドア３の電気錠３０が解錠されたことを検出し、音声メモリ５８から読み出した解錠通知のための確認音や音声メッセージをスピーカ５０から出力させる、および／またはドライバ回路５６を制御して画面表示メモリ５９から読み出した解錠通知のための文字や絵データを表示部５４に表示させ、住戸内に在室中の居住者に対して玄関ドア３の電気錠３０が解錠された旨の報知を行う。
【００６３】
なお、図４のブロック図に示す居室親機５のスピーカ５０から出力された解錠通知のための確認音や音声メッセージ、すなわち、音声メモリ５８から読み出された解錠通知のための確認音や音声メッセージは、親機ＣＰＵ５５、図３のブロック図に示す暗証解錠装置４の解錠装置ＣＰＵ４３および図５のブロック図に示す電気錠コントローラ６のコントローラＣＰＵ７２の制御によって、スピーカ４２、７１にてそれぞれ出力させることもできる。
【００６４】
次に、本発明の実施例による第５の動作として、図１のシステム説明図に示す携帯端末１を携行している人物が外出先から帰宅しようとしている居住者以外の人物、例えば、住戸内に在室中の居住者にとって好ましくない押し売り、不審人物、危険人物等であった場合、これらの人物が所定の解錠操作を行った、或いは予め解錠設定が行われていた携帯端末１を暗証解錠装置４に近づけると、携帯端末１から発信されたＩＤ、ここでは、前述の第１〜第４の各動作と同様、ブルートゥース等の微弱な無線電波を利用して発信されたＩＤが暗証解錠装置４の受信部４０にて受信される。
【００６５】
図３のブロック図に示す暗証解錠装置４において、解錠装置ＣＰＵ４３は、受信部４０にて受信されたＩＤをもとに携帯端末１からの解錠要求があることを検出し、受信されたＩＤを電気信号に信号処理してＩＤ信号を生成する。このＩＤ信号は、解錠装置ＣＰＵ４３から解錠装置Ｉ／Ｆ４５、解錠装置ラインＬ3、図５のブロック図に示す電気錠コントローラ６の解錠装置側コントローラＩ／Ｆ７５を介してコントローラＣＰＵ７２へと伝送される。
【００６６】
図５のブロック図に示す電気錠コントローラ６において、コントローラＣＰＵ７２は、暗証解錠装置４からのＩＤ信号に付加されているＩＤとＩＤメモリ７３に予め登録されているＩＤとを照合する。ここでは、当該ＩＤが一致せず、これを検出したコントローラＣＰＵ５５は、玄関ドア３の電気錠３０への不正な解錠要求があったことを住戸内に在室中の居住者に通知するための不正解錠要求通知信号を生成する。この不正解錠要求通知信号は、前述の解錠通知信号と同様な経路を介して図４のブロック図に示す居室親機５の親機ＣＰＵ５５へと伝送される。
【００６７】
図４のブロック図に示す居室親機５において、親機ＣＰＵ５５は、電気錠コントローラ６からの不正解錠要求通知信号をもとに玄関ドア３の電気錠３０への不正な解錠要求があったことを検出し、音声メモリ５８から読み出した不在解錠通知のための警報音や音声メッセージをスピーカ５０から出力させる、および／またはドライバ回路５６を制御して画面表示メモリ５９から読み出した不正解錠通知のための文字や絵データを表示部５４に表示させ、住戸内に在室中の居住者に対して不正な解錠要求があった旨の報知を行う。
【００６８】
なお、図４のブロック図に示す居室親機５のスピーカ５０から出力された不正解錠通知のための警報音や音声メッセージ、すなわち、音声メモリ５８から読み出された不正解錠通知のための警報音や音声メッセージは、親機ＣＰＵ５５、図３のブロック図に示す暗証解錠装置４の解錠装置ＣＰＵ４３および図５のブロック図に示す電気錠コントローラ６のコントローラＣＰＵ７２の制御によって、スピーカ４２、７１にてそれぞれ出力させることもでき、不正な解錠要求を行った来訪者をいち早く退散させように威嚇して再度の訪問を抑止するため、防犯性が高まる。
【００６９】
また、前述のような本発明の実施例による第１〜第５の各動作において、携帯端末１から発信されるＩＤは、ブルートゥース等の微弱な無線電波を利用したが、この発信手段に限定されず、赤外線を利用して発信させたり、当該携帯端末から基地局（図示せず）へ定期的に発信される位置確認データ、当該携帯端末からＲＦＩＤを用いて発信されるデータをそれぞれ利用することができる。ここで、前述の位置確認データを適用するにあたっては、図２のブロック図に示す玄関子機２の受信部２０、図３のブロック図に示す暗証解錠装置４の受信部４０の受信感度がそれぞれ高く設定されていると、常時、遠方にある携帯端末からの呼出要求のためのＩＤ、解錠要求のためのＩＤを受信してしまうことから、受信感度調整回路２５、４４をそれぞれ使用して受信感度を調整する。
【産業上の利用可能性】
【００７０】
本発明の実施例によれば、所定の解錠操作を行った、或いは予め解錠設定が行われていた携帯端末１を暗証解錠装置４に近づけ、携帯端末１から発信されたＩＤを暗証解錠装置４の受信部４０にて受信させたが、受信装置としては暗証解錠装置４に限定されず玄関子機２も好適とされ、この玄関子機２を適用するにあたっては、受信部２０にて受信されたＩＤが解錠要求のためのＩＤであることを図４のブロック図に示す居室親機５の親機ＣＰＵ５５にて確認させ、親機ＣＰＵ５５から解錠要求のためのＩＤを図５のブロック図に示す電気錠コントローラ６のコントローラＣＰＵ７２へと伝送させ、コントローラＣＰＵ７２にて解錠要求のためのＩＤとＩＤメモリ７３に予め登録されているＩＤとを照合する。
【図面の簡単な説明】
【００７１】
【図１】本発明の実施例によるインターホンシステムの全体構成を示すシステム説明図。
【図２】本発明の実施例によるインターホンシステムにおいて、玄関子機の具体的な構成を示すブロック図。
【図３】本発明の実施例によるインターホンシステムにおいて、暗証解錠装置の具体的な構成を示すブロック図。
【図４】本発明の実施例によるインターホンシステムにおいて、居室親機の具体的な構成を示すブロック図。
【図５】本発明の実施例によるインターホンシステムにおいて、電気錠コントローラの具体的な構成を示すブロック図。
【符号の説明】
【００７２】
１……携帯端末
２……玄関子機（受信装置）
２０……受信部
３……玄関ドア
３０……電気錠
４……暗証解錠装置（受信装置）
４０……受信部
５……居室親機
５５……親機ＣＰＵ（制御回路）
５９……録画メモリ（記憶部）
【図１】
2006033558.tif 000003
【図２】
2006033558.tif 000004
【図３】
2006033558.tif 000005
【図４】
2006033558.tif 000006
【図５】
2006033558.tif 000007